(57)【要約】【課題】開閉カバーに設けられた表示部の傾斜角度を開閉カバーの開閉動作に連動して最適に調整することができる画像形成装置を提供すること。【解決手段】開閉カバー３を装置本体２に回動可能に設けるとともに、該開閉カバー３の閉状態をロックする回動可能なロック部材６と表示部９を前記開閉カバー３に設けて成る画像形成装置１において、前記表示部９を前記開閉カバー３に傾動可能に支持するとともに、該表示部９が前記開閉カバー３の開動作に連動して傾動するよう構成する。具体的には、前記ロック部材６による前記開閉カバー３のロックを解除した後にロック部材６をロック方向に回動させる圧縮ばね（付勢手段）８を設け、該ロック部材６の回動に連動して前記表示部９が傾動するよう構成する。【選択図】図３
2008180835.tif 000002
【特許請求の範囲】
【請求項１】
開閉カバーを装置本体に回動可能に設けるとともに、該開閉カバーの閉状態をロックする回動可能なロック部材と表示部を前記開閉カバーに設けて成る画像形成装置において、
前記表示部を前記開閉カバーに傾動可能に支持するとともに、該表示部が前記開閉カバーの開動作に連動して傾動するよう構成したことを特徴とする画像形成装置。
【請求項２】
前記ロック部材による前記開閉カバーのロックを解除した後にロック部材をロック方向に回動させる付勢手段を設け、該ロック部材の回動に連動して前記表示部が傾動するよう構成したことを特徴とする請求項１記載の画像形成装置。
【請求項３】
前記ロック部材による前記開閉カバーのロック解除を前記表示部の回動操作によって行うよう構成したことを特徴とする請求項１又は２記載の画像形成装置。
【発明の詳細な説明】
【技術分野】
【０００１】
本発明は、開閉カバーに表示部を備えた画像形成装置に関するものである。
【背景技術】
【０００２】
画像形成装置には、開閉カバーを装置本体に回動可能に支持するとともに、該開閉カバーの閉状態をロックするロック部材を装置本体に回動可能に設け、前記開閉カバーにＬＣＤ等の表示部を設けたものがあるが、従来、表示部は開閉カバーに固定されており、その傾斜角度を任意に調整することはできなかった。
【０００３】
ところが、ジャム処理等のメンテナンス時に開閉カバーを開けるためにこれを回動させると、該開閉カバーに固定された表示部の角度が通常使用時の開閉カバーを閉じた状態での角度とは異なるため、該表示部が見えにくくなり、モニターによる操作ガイドが行えないという問題があった。
【０００４】
そこで、特許文献１には、液晶画像を備えた操作パネルユニットを電子写真装置本体に対して揺動可能に支持し、液晶画面の電子写真装置本体に対する姿勢を可変とし、室内光の状態や見る角度が変化しても液晶画面に高い視認性を確保することができるようにした電子写真装置が提案されている。
【特許文献１】特開２００１−２４２６７３号公報
【発明の開示】
【発明が解決しようとする課題】
【０００５】
しかしながら、特許文献１に提案された電子写真装置では、室内光の状態や見る角度の変化に応じて液晶画面の角度をユーザー自身が最適に調整する必要があるため、その操作が面倒であるという問題があった。
【０００６】
本発明は上記問題に鑑みてなされたもので、その目的とする処は、開閉カバーに設けられた表示部の傾斜角度を開閉カバーの開閉動作に連動して最適に調整することができる画像形成装置を提供することにある。
【課題を解決するための手段】
【０００７】
上記目的を達成するため、請求項１記載の発明は、開閉カバーを装置本体に回動可能に設けるとともに、該開閉カバーの閉状態をロックする回動可能なロック部材と表示部を前記開閉カバーに設けて成る画像形成装置において、前記表示部を前記開閉カバーに傾動可能に支持するとともに、該表示部が前記開閉カバーの開動作に連動して傾動するよう構成したことを特徴とする。
【０００８】
請求項２記載の発明は、請求項１記載の発明において、前記ロック部材による前記開閉カバーのロックを解除した後にロック部材をロック方向に回動させる付勢手段を設け、該ロック部材の回動に連動して前記表示部が傾動するよう構成したことを特徴とする。
【０００９】
請求項３記載の発明は、請求項１又は２記載の発明において、前記ロック部材による前記開閉カバーのロック解除を前記表示部の回動操作によって行うよう構成したことを特徴とする。
【発明の効果】
【００１０】
請求項１記載の発明によれば、開閉カバーに傾動可能に支持された表示部が開閉カバーの開動作に連動して傾動するよう構成したため、開閉カバーの開閉動作に連動して表示部の傾斜角度を自動で最適に調整することができ、ユーザーの負担が軽減する。
【００１１】
請求項２記載の発明によれば、ロック部材による開閉カバーのロックを解除して該開閉カバーを開けると、付勢手段によってロック部材がロック方向に回動し、このロック部材の回動に連動して表示部が傾動するよう構成したため、開閉カバーの開動作に連動して表示部の傾斜角度を最適に調整することができ、ジャム処理やトナーカンートリッジの交換等のメンテナンスのために開閉カバーを開けた状態でも表示部が見易くなり、例えばユーザーは表示部に表示される操作ガイドに従ってメンテナンスを作業性良く容易に行うことができる。
【００１２】
請求項３記載の発明によれば、表示部の回動操作によってロック部材による開閉カバーのロック解除を容易に行うことができる。
【発明を実施するための最良の形態】
【００１３】
以下に本発明の実施の形態を添付図面に基づいて説明する。
【００１４】
＜実施の形態１＞
図１は本発明の実施の形態１に係る画像形成装置の正面図、図２及び図３は同画像形成装置の開閉カバーの開動作を説明する正面図であり、図示の画像形成装置１の装置本体２の側端部（図の右端部）には開閉可能な開閉カバー３が軸４を中心として回動可能に支持されている。この開閉カバー３の上部には、装置本体２側に設けられた係合部材５に係脱するロック部材６が軸７によって回動可能に設けられている。
【００１５】
上記ロック部材６は、装置本体２側の係合部材５に係脱して開閉カバー３の閉状態をロック／アンロックするための部材であって、図１に示すように開閉カバー３が閉じられているときには、ロック部材６は係合部材５に係合して開閉カバー３の閉状態をロックしており、該ロック部材６は、付勢手段である圧縮ばね８によってロック方向（図１の反時計方向）に付勢されている。
【００１６】
又、開閉カバー３にはＬＣＤ等の表示部９が軸１０によって回動可能に設けられており、図１に示すように開閉カバー３が閉じられてロック部材６が装置本体２側の係合部材５に係合している状態では、ロック部材６の一端が表示部９の背面に当接して該表示部９を図示の角度（通常の使用状態でユーザーが表示部９を見易い角度）に保持している。
【００１７】
而して、ジャム処理やトナーカートリッジ等のメンテナンスのために開閉カバー３を開ける必要が生じた場合には、ユーザーが表示部９の端部に設けられた把手９ａを把持して表示部９これを図２の矢印方向（時計方向）に回動操作すると、図２に示すように、該表示部９の背面がロック部材６の一端を押して該ロック部材６を圧縮ばね８の付勢力に抗して軸７を中心として図示矢印方向（時計方向）に回動させる。この結果、ロック部材６の係合部材５との係合が外れ、開閉カバー３の閉状態のロックが解除されるため、該開閉カバー３を図３に示すように軸４を中心として回動させてこれを開くことができるが、このとき、ロック部材６は圧縮ばね８によって図示矢印方向（反時計方向：ロック方向）に回動し、その端部が表示部９の背面を押して該表示部９を軸１０を中心として図示矢印方向（反時計方向）に回動させる。このため、開閉カバー３を開いた状態では、表示部９が傾動してその角度がユーザーが見易い角度に調整され、ユーザーは表示部９に表示される操作ガイドに従ってメンテナンスを作業性良く容易に行うことができる。
【００１８】
以上のように、本実施の形態によれば、開閉カバー３に傾動可能に支持された表示部９が開閉カバー３の開動作に連動して傾動するよう構成したため、開閉カバー３の開閉動作に連動して表示部９の傾斜角度をユーザーが意識することなく自動で最適に調整することができ、ジャム処理やトナーカンートリッジの交換等のメンテナンスのために開閉カバー３を開けた状態でも表示部が見易くなり、ユーザーの負担が軽減する。
【００１９】
又、本実施の形態では、メンテナンス時に開閉カバー３を開ける際には、ユーザーは表示部９の把手９ａを把持して表示部９を回動操作することによってロック部材６による開閉カバー３のロックを容易に解除することができる。
【００２０】
尚、メンテナンスが終了して開閉カバー３を軸４を中心として回動させてこれを閉じると、以上とは逆の手を経て開閉カバー３の閉じ動作に連動して表示部９が軸１０を中心として傾動し、表示部９が図１に示す元の状態に復帰する。
【００２１】
＜実施の形態２＞
次に、本発明の実施の形態２を図４〜図６に基づいて説明する。
【００２２】
図４は本発明の実施の形態２に係る画像形成装置の正面図、図５及び図６は同画像形成装置の開閉カバーの開動作を説明する正面図であり、これらの図においては図１〜図３に示したものと同一要素には同一符号を付しており、以下、これらについての再度の説明は省略する。
【００２３】
本実施の形態では、ロック部材６とギヤ１１とが軸７によって一体に結着されており、ギヤ１１は開閉カバー３に回転可能に軸支されたアイドルギヤ１２に噛合している。又、表示部９には扇形のセクタギヤ１３が軸１０によって一体に結着されており、該セクタギヤ１３は前記アイドルギヤ１２に噛合している。尚、ロック部材６は、付勢手段である圧縮ばね８によってロック方向（図の反時計方向）に付勢されている。
【００２４】
本実施の形態に係る画像形成装置１においては、図４に示すように開閉カバー３が閉じられてロック部材６が装置本体２側の係合部材５に係合している状態では、表示部９は図示の角度位置（通常の使用状態でユーザーが表示部を見易い角度）に保持されている。
【００２５】
而して、ジャム処理やトナーカートリッジ等のメンテナンスのために開閉カバー３を開ける必要が生じた場合には、ユーザーが表示部９の端部に設けられた把手９ａを把持してこれを図５の矢印方向（時計方向）に回動操作すると、図５に示すように、該表示部９の軸１０と共にセクタギヤ１３が同方向に回動する。
【００２６】
すると、アイドルギヤ１２が図５の矢印方向（反時計方向）に回動してギヤ１１を図示矢印方向（時計方向）に回動させるため、ロック部材６が圧縮ばね８の付勢力に抗して軸７を中心として同方向（時計方向）に回動する。この結果、ロック部材６の係合部材５との係合が外れ、開閉カバー３の閉状態ロックが解除されるため、開閉カバー３を図６に示すように軸４を中心として回動させてこれを開くことができるが、このとき、ロック部材６とギヤ１１は圧縮ばね８によって図示矢印方向（反時計方向：ロック方向）に回動し、ギヤ１１に噛合するアイドルギヤ１２を図６の矢印方向（時計方向）に回動させる。すると、アイドルギヤ１２に噛合するセクタギヤ１３が表示部９と共に軸１０を中心として図示矢印方向（反時計方向）に回動するため、図６に示すように開閉カバー３を開いた状態では、表示部９が傾動してその角度がユーザーが見易い角度に調整され、ユーザーは表示部９に表示される操作ガイドに従ってメンテナンスを作業性良く容易に行うことができる。
【００２７】
以上のように、本実施の形態においても、開閉カバー３に傾動可能に支持された表示部９が開閉カバー３の開動作に連動して傾動するよう構成したため、開閉カバー３の開閉動作に連動して表示部９の傾斜角度をユーザーが意識することなく自動で最適に調整することができ、ジャム処理やトナーカートリッジの交換等のメンテナンスのために開閉カバー３を開けた状態でも表示部９が見易くなり、ユーザーの負担が軽減する。
【００２８】
尚、メンテナンスが終了して開閉カバー３を軸４を中心として回動させてこれを閉じると、以上とは逆の手を経て開閉カバー３の閉じ動作に連動して表示部９が軸１０を中心として傾動し、表示部９が図４に示す元の状態に復帰する。
【図面の簡単な説明】
【００２９】
【図１】本発明の実施の形態１に係る画像形成装置の正面図である。
【図２】本発明の実施の形態１に係る画像形成装置の開閉カバーの開動作を説明する正面図である。
【図３】本発明の実施の形態１に係る画像形成装置の開閉カバーの開動作を説明する正面図である。
【図４】本発明の実施の形態２に係る画像形成装置の正面図である。
【図５】本発明の実施の形態２に係る画像形成装置の開閉カバーの開動作を説明する正面図である。
【図６】本発明の実施の形態２に係る画像形成装置の開閉カバーの開動作を説明する正面図である。
【符号の説明】
【００３０】
１      画像形成装置
２      装置本体
３      開閉カバー
４      軸
５      係合部材
６      ロック部材
７      軸
８      圧縮ばね（付勢手段）
９      表示部
９ａ    表示部の把手
１０    軸
１１    ギヤ
１２    アイドルギヤ
１３    セクタギヤ
【図１】
2008180835.tif 000003
【図２】
2008180835.tif 000004
【図３】
2008180835.tif 000005
【図４】
2008180835.tif 000006
【図５】
2008180835.tif 000007
【図６】
2008180835.tif 000008